(57)【要約】      （修正有）【課題】通信回路用線路保護器に関し、特に通信システムの端子台の端子との締結を確実になすようにすると共に、保護器の不良可否を容易に検査し、また、保護器内部から発生する熱を効果的に外部に放出することができるようにした通信回路用線路保護器を提供する。【解決手段】通信回路用線路保護器は、複数の開口２３ａ、２３ｂ、２３ｃ、２３ｄを側部に有するハウジング２０と、前記ハウジング２０の内部一側に形成され、その一端部は弾性を有して対向する内壁２４を共助してアース部との緊密かつ確実な接触を保持させる接地ピン３０及び前記接地ピン３０の一側に形成され、その下端には、端子４０との締結の時、良好な接続をなすようにする通電部１１が形成されたＰＣＢ１０を含む構成を有することを特徴とする。【選択図】図１
0003126852.tif 000002
【実用新案登録請求の範囲】
【請求項１】
通信回路用線路保護器において、
複数の開口を側部に有するハウジングと、
前記ハウジングの内部一側に形成され、その一端部は、弾性を有して対向するハウジングの下部一側の内壁と共助してアース部とのアース接触を保持させる接地ピン及び、
前記接地ピンの一側に形成され、その下端には、端子との締結の時、良好な接続がなされる通電部が形成されたＰＣＢを含むことを特徴とする通信回路用線路保護器。
【請求項２】
さらに、ＰＣＢの何れか一面上に弾性接点部が突出するように形成されたことを特徴とする請求項１に記載の通信回路用線路保護器。
【請求項３】
ハウジングは、その下部に結合突起と結合溝が形成されたことを特徴とする請求項１または請求項２に記載の通信回路用線路保護器。
【請求項４】
ハウジングは、その下部一側に補助結合部が形成されたことを特徴とする請求項１または請求項２に記載の通信回路用線路保護器。
【考案の詳細な説明】
【技術分野】
【０００１】
本考案は、通信回路用線路保護器に関し、特に、通信網システム装備の端子台の端子との締結を確実になすようにすると共に、保護器の不良可否を容易に検査することができ、また、ハウジングの内部から発生する熱を効果的に外部に放出することができるようにした通信回路用線路保護器に関する。
【背景技術】
【０００２】
一般的に、通信回路用線路保護器は、通信網システムにおいて、外部から流入される過電圧、過電流から装備を保護するために、当該通信網システム装備の端子台の端子に装着するものである。
【０００３】
このような保護器は、外部から流入される過電流を制限する過電流制限素子と、落雷から流入される過電圧を防止する過電圧防止素子などが装着されていて、通信網システムの装備を保護する。
【０００４】
一方、従来の通信回路用線路保護器は、図１及び図２に示されたように、内部に各種電子素子と回路印刷基板（以下、‘ＰＣＢ’と称する）１を収容し、前記ＰＣＢ１の一側には、回路線と接続する接地ピン４を有するハウジング２で構成されている。前記ハウジング２の下端部には、端子台５に形成された端子６に結合させるための結合部３が形成されている。
【考案の開示】
【考案が解決しようとする課題】
【０００５】
ところが、前記した従来の通信回路用線路保護器は、ハウジングの内部から発生する熱を放出する手段が特別に形成されていないため、発生した熱が外部へ放出できないことにより、保護器の正常的な性能発揮に問題を引き起こす恐れもある。
【０００６】
また、線路保護器製品の出荷前または使用中、保護器の不良可否を検査するための構造を有しないため、その不良可否を検査するためには、ハウジング２を分解しなければならないという構造的な問題点も有しているので、検査時間の遅延と生産性の低下などをもたらしている。
【０００７】
さらに、通信網システム装備の端子台の端子６との結合の時、離隔発生の防止及び接触不良を防止できる結合部３の締結構造が堅固でないため、使用の時、端子６との離隔が発生するか、または接触不良が発生して、外部から流入される過電流及び過電圧を通信線路にそのまま流れるようになって、各種事故が誘発しうるという環境に露出されている実情である。
【０００８】
従って、本考案は、前記のような従来技術の問題点に鑑みてなされたものであって、通信回路用線路保護器の出荷前または使用中、保護器の不良可否に対する検査を容易に実施することができるだけでなく、保護器のハウジング内部から発生する熱を外部に迅速かつ円滑に放出させ、また、端子台の端子との結合時に、確実かつ堅固な締結をなすようにした通信回路用線路保護器を提供することを目的とするものである。
【課題を解決するための手段】
【０００９】
前記した目的を達成するために、本考案の通信回路用線路保護器は、複数の開口を側部に有するハウジングと、前記ハウジングの内部一側に形成され、その一端部は弾性を有して対向するハウジングの下部一側内壁との共助を通じて、アース（ｅａｒｔｈ）部との緊密かつ確実なアース接触を保持する接地ピン及び前記接地ピンの一側に形成され、その下端には端子との締結時に良好な接続を保持するようにする通電部を有するＰＣＢを含むことを特徴とする。
【考案の効果】
【００１０】
本考案の通信用線路保護器は、ハウジングの側部に複数の開口を有しているので、当該開口を通じて保護器の出荷前または使用中に保護器の不良可否を容易に検査できるだけでなく、保護器のハウジング内部から発生する熱を有効に外部に放出することができる。
【００１１】
また、前記ＰＣＢの何れか一面上に弾性接点部を突出するようにさらに形成させることにより、通電部が端子台の端子に結合された状態における接点強度をさらに向上させ、接触部位の接触抵抗により発生する熱の発生を防止すると共に、保護器内部温度の上昇時に伝導される熱を一次的に遮断することができる。
【００１２】
また、端子台の端子内に備えられた結合手段と結合される結合突起と結合溝をハウジングに形成することにより、保護器を端子台の端子と締結する時に相互間の離隔及び接触不良を防止することができる。
【００１３】
また、ハウジングの下部に補助結合部をさらに形成することにより、保護器と、端子台の端子との締結をさらに堅固に保持することができる。
【考案を実施するための最良の形態】
【００１４】
以下、本考案を具体化した一実施例を添付の図面を参照して説明する。図３は、本考案の通信回路用線路保護器を分解した状態を示したものであり、図４は、本考案の通信回路用線路保護器を組み立てた状態を示したものであり、図５は、本考案の通信回路用線路保護器の下部に形成された結合突起と結合溝を詳しく示したものであり、図６は、本考案の通信回路用線路保護器を端子台に形成された各端子と結合させた状態を示したものであり、図７は、本考案の通信回路用線路保護器と端子との結合状態の要部を示したものである。
【００１５】
本考案の通信回路用線路保護器１００は、各図面に示されたように、ハウジング２０の側部では、保護器の不良可否を検査できるようにすると共に、保護器の内部から発生する熱を効果的に放出するための複数の開口２３ａ、２３ｂ、２３ｃ、２３ｄを有する。
【００１６】
前記ハウジング２０の各開口２３ａ、２３ｂ、２３ｃ、２３ｄは、ＰＣＢ１０の各通電パターン及び各素子及び回路などの短絡または正常作動可否を容易に検査できるようにする位置に形成されることが好ましい。
【００１７】
また、前記ＰＣＢ１０の一側に形成された接地ピン３０は弾性を有し、その一端部には複数の曲げ部が形成されており、前記曲げ部は、対向するハウジング２０の下部一側内壁２４と共助してアース部（不図示）と緊密かつ確実なアース接触を保持させる。
【００１８】
また、前記接地ピン３０の一側に形成されたＰＣＢ１０の下端部両側面では通電部１１が形成されていて、該通電部１１により、端子との締結時に良好な通電が行われる。
【００１９】
また、前記ハウジング２０の下部には、端子台５０に形成された結合突起４１及び結合溝４２を有する各端子４０との締結を容易かつ確実にする結合突起２１と結合溝２２が形成されている。この場合、前記結合溝２２と結合突起２１は、結合対象となる端子の形状に合うように多様な形状に変形することができる。
【００２０】
また、前記ハウジング２０の下部一側には、端子４０との締結をさらに堅固に保持するために、補助結合部２５をさらに形成することができる。
【００２１】
前記のように構成された本考案の通信回路用線路保護器の作用関係をさらに具体的に説明すると、次のとおりである。本考案の通信回路用線路保護器１００は、中央部を基準として対向して分離されたハウジング２０内に、各種電子素子などが実装されたＰＣＢ１０を介在させ、前記ＰＣＢ１０の一側部には接地ピン３０を形成させた後、相互結合する。
【００２２】
前記のように結合されたハウジング２０に、内側に嵌められて固定されるＰＣＢ１０に形成された各電子素子または回路などの正常作動可否の点検を容易に行うようにする位置に形成した複数の開口２３ａ、２３ｂ、２３ｃ、２３ｄを通じて、検査装置のプローブ（不図示）などを挿入して、各種電子素子または回路などの接続状態、動作状態及び接点の短絡有無などによる不良可否を検査することができ、線路保護器製品の出荷前または使用中に、保護器の不良可否を迅速かつ容易に検査できるだけでなく、前記した開口２３ａ、２３ｂ、２３ｃ、２３ｄを通じて、ハウジング２０内に形成されたＰＣＢ１０の各素子などから発生する内部熱を外部に迅速かつ容易に排出することができるので、保護器の寿命延長と共に作動状態も良好に保持することができる。
【００２３】
また、ハウジング２０内の一側部に形成された接地ピン３０は、本考案の通信回路用線路保護器１００が端子４０と結合された状態でアース部（不図示）を弾性支持するように形成されることにより、外部から流入される過電流及び過電圧などからの通信回路用線路をさらに確実に保護することができる。
【００２４】
即ち、前記の接地ピン３０は、下端部を多数の曲げをなすように形成することにより、端子４１との結合時にアース部（不図示）を多数の曲げ部が多数のところで弾性支持するため、接地ピン３０によるアース結合力を遥かに高めることができる。
【００２５】
また、本考案の接地ピン３０は、従来の半田付けによる固定方式とは異なり、ハウジング２０の内側に嵌めて固定して組み立てるようにしたので、作業性の良いという利点もある。
【００２６】
また、本考案は、特に、ハウジング２０の内側に嵌められて固定されるように形成されたＰＣＢ１０の通電部１１を両側面に形成させることにより、端子４０との結合の時、結合方向を相違に（反対に）しても、良好な通電をなすようにして、製品の交換性と使用の時の自由度を高めるようにした。
【００２７】
それだけでなく、本考案のハウジング２０の下部側には、結合突起２１及び結合溝２２を形成し、前記結合突起２１及び結合溝２２は、端子４０との結合の時、端子４０の結合溝４１及び結合突起４２と隙間なく嵌め込まれるので、確実な結合状態を保持することができる。即ち、ハウジング２０の結合突起２１及び結合溝２２が端子４０の対応結合溝４１と結合突起４２と隙間なく凹凸結合をなすように構成することにより、これらの部材間の結合時に離隔が発生しないため、接続力と固定力を確実に高めることができる。
【００２８】
また、前記ハウジング２０の下部一側に形成された補助結合部２５は、端子４０との締結時、前記端子４０の結合突起４２と、この結合突起４２の間に形成された結合溝部４３に嵌め込まれて縁側への結合をさらに堅固にするようになって、外部からの突発的な揺れ、衝撃などが加わっても、結合状態をさらに確実に保持することができるようになる。
【００２９】
一方、本考案の他の実施例の構成として、前記ＰＣＢ１０の下端部に形成されている通電部１１の上部において、一側部に突出される弾性接点部２６を形成し、このような弾性接点部２６を形成する構成により、前記通電部１１が端子４０に差し込まれるとき、これらの接点力をさらに強くすることにより、通電部１１の終端部の接触強度が増加して、接触抵抗による熱の発生を防止することができる。それだけでなく、このような弾性接点部２６は、線路保護器内部温度の上昇時、伝導される熱を一次的に遮断する役割もする。
【００３０】
図６は、前述のような本考案の他の実施例により形成された弾性接点部２６を有する通信回路用線路保護器と端子との結合状態を示した図面である。図６に示されたように、弾性接点部２６によりＰＣＢ１０が図面右側の矢印方向のように、上部側に持ち上げられながら、通電部１１の終端部は、図面左側の矢印方向のように、下部側に下降して端子の弾性接地部２７を押すように加圧させるため、当接面積が増加しながら抵抗の発生を減少させる。
【００３１】
また、前記弾性接点部２６は、通電部１１と同一に端子の弾性接地部２７に接地されて接触面を増加させるため、これを通じて接触部位で発生する抵抗熱を顕著に減少させることができ、さらに、本考案の弾性接点部２６により通電部１１の接地力が増加するだけでなく、端子台５０に結合するとき、ハウジング２０の固定力もまた増加することになる。
【００３２】
これまで、本考案について図面を参照して説明したが、これは一実施例に過ぎず、それに限定されるのではなく、本考案の思想を逸脱しない範囲内で多様な変形が可能であるのは勿論である。
【００３３】
前記のように構成された本考案の通信回路用線路保護により、保護器の出荷前または使用中、保護器の正常動作可否などを迅速、簡単、容易に検査することができるだけでなく、保護器の内部から発生する熱を効果的に外部に放出することができる効果がある。
【００３４】
また、ＰＣＢの何れか一面上に弾性接点部を突出するようにさらに形成させる構成を有することにより、通電部の接地面がさらに強く押し付けられるように加圧され、接地面における抵抗熱を顕著に減少させることのできる効果がある。また、保護器のハウジングと端子との締結の時、相互間の離隔及び接触不良を確実に防止することのできる効果がある。また、保護器のハウジングと端子とのさらに堅固な締結を可能とする効果がある。
【図面の簡単な説明】
【００３５】
【図１】従来の通信回路用線路保護器を示す図である。
【図２】従来の通信回路用線路保護器を端子台に形成された各端子と結合された状態を示す図である。
【図３】本考案の通信回路用線路保護器を分解した状態を示した図である。
【図４】本考案の通信回路用線路保護器を組み立てた状態を示した図である。
【図５】本考案の通信回路用線路保護器の下部に形成された結合突起と結合溝を詳しく示した詳細図である。
【図６】本考案の通信回路用線路保護器を端子台に形成された各端子と結合された状態を示した図である。
【図７】本考案の通信回路用線路保護器と端子との結合状態の要部を示した詳細図である。
【図８】本考案の他の実施例の構成に関し、ＰＣＢの何れか一面上に弾性接点部がさらに形成された通信回路用線路保護器と端子との結合状態を示す図である。
【符号の説明】
【００３６】
１０  ＰＣＢ（Ｐｒｉｎｔｅｄ  Ｃｉｒｃｕｉｔ  Ｂｏａｒｄ）
１１  通電部
２０  ハウジング
２１  結合突起
２２  結合溝
２３ａ、２３ｂ、２３ｃ、２３ｄ  開口
２４  内壁
２５  補助結合部
２６  弾性接点部
３０  接地ピン
４０  端子
４１  結合溝
４２  結合突起
５０  端子台
１００  通信回路用線路保護器
【図１】
0003126852.tif 000003
【図２】
0003126852.tif 000004
【図３】
0003126852.tif 000005
【図４】
0003126852.tif 000006
【図５】
0003126852.tif 000007
【図６】
0003126852.tif 000008
【図７】
0003126852.tif 000009
【図８】
0003126852.tif 000010